【手続補正書】
【提出日】平成30年7月10日(2018.7.10)
【手続補正１】
【補正対象書類名】特許請求の範囲
【補正対象項目名】全文
【補正方法】変更
【補正の内容】
【特許請求の範囲】
【請求項１】
車体と後部座席との間に設けられるサイドエアバッグ装置であって、
膨出可能なエアバッグと、
該エアバッグの内部にガスを供給するインフレータと、
折り畳まれた状態の前記エアバッグ及び前記インフレータを格納するベース格納部を有し、車体ドアと前記後部座席との間に取り付けられるベース部材と、
前記ベース格納部を車体後方側から保持するリテーナ部材と、を備え、
前記ベース部材は、下方に突出する下方突出部を有し、
前記リテーナ部材は、前記ベース格納部を保持する部分から前記下方突出部に向かって延出し、前記下方突出部に重ね合わされた状態で、前記下方突出部に取り付けられていることを特徴とするサイドエアバッグ装置。
【請求項２】
前記リテーナ部材は、前記ベース部材に直接接触して取り付けられていることを特徴とする請求項１に記載のサイドエアバッグ装置。
【請求項３】
前記リテーナ部材は、前記ベース部材と共に前記車体に取り付けられていることを特徴とする請求項１又は２に記載のサイドエアバッグ装置。
【請求項４】
前記ベース部材の前記下方突出部は、前記リテーナ部材に向かって後方に突出する部分を有することを特徴とする請求項１乃至３のいずれか一項に記載のサイドエアバッグ装置。
【請求項５】
前記ベース部材の前記下方突出部は、前記後方に突出する部分の先端から下方に向かって延出する部分を有することを特徴とする請求項４に記載のサイドエアバッグ装置。
【請求項６】
前記ベース部材の前記下方突出部は、前方に向かって突出する前方突部を有していることを特徴とする請求項１乃至５のいずれか一項に記載のサイドエアバッグ装置。
【請求項７】
前記前方突部は、複数の前方突部からなることを特徴とする請求項６に記載のサイドエアバッグ装置。
【請求項８】
前記複数の前方突部は、左右方向に並んで配置されていることを特徴とする請求項７に記載のサイドエアバッグ装置。
【請求項９】
前記リテーナ部材は、前記複数の前方突部のうちの二つの間の位置で前記ベース部材に締結されていることを特徴とする請求項８に記載のサイドエアバッグ装置。
【請求項１０】
前記前方突部は、上下方向に延在していることを特徴とする請求項６乃至９のいずれか一項に記載のサイドエアバッグ装置。
【請求項１１】
前記下方突出部は、前記ベース部材の左右方向において、前記車体ドア寄りの位置に配置されていることを特徴とする請求項１乃至１０のいずれか一項に記載のサイドエアバッグ装置。
【手続補正２】
【補正対象書類名】明細書
【補正対象項目名】００１０
【補正方法】変更
【補正の内容】
【００１０】
前記課題は、本発明のサイドエアバッグ装置によれば、車体と後部座席との間に設けられるサイドエアバッグ装置であって、膨出可能なエアバッグと、該エアバッグの内部にガスを供給するインフレータと、折り畳まれた状態の前記エアバッグ及び前記インフレータを格納するベース格納部を有し、車体ドアと前記後部座席との間に取り付けられるベース部材と、前記ベース格納部を車体後方側から保持するリテーナ部材と、を備え、前記ベース部材は、下方に突出する下方突出部を有し、前記リテーナ部材は、前記ベース格納部を保持する部分から前記下方突出部に向かって延出し、前記下方突出部に重ね合わされた状態で、前記下方突出部に取り付けられていること、により解決される。
【手続補正３】
【補正対象書類名】明細書
【補正対象項目名】００１１
【補正方法】変更
【補正の内容】
【００１１】
上記構成により、サイドエアバッグ装置の基板となるベース部材の下方突出部が、比較的剛性の高いリテーナ部材に重ね合わされた状態で、リテーナ部材に取り付けられているため、サイドエアバッグ装置の車体部材との取り付け剛性が向上する。
また、上記構成により、既存部品となるリテーナ部材を利用して、サイドエアバッグ装置の車体部材との取り付け剛性を確保できる。
【手続補正４】
【補正対象書類名】明細書
【補正対象項目名】００１２
【補正方法】変更
【補正の内容】
【００１２】
このとき、前記リテーナ部材は、前記ベース部材に直接接触して取り付けられていると好適である。
上記構成により、リテーナ部材はベース部材を強固に保持することができる。
【手続補正５】
【補正対象書類名】明細書
【補正対象項目名】００１３
【補正方法】変更
【補正の内容】
【００１３】
このとき、前記リテーナ部材は、前記ベース部材と共に前記車体に取り付けられていると好適である。
【手続補正６】
【補正対象書類名】明細書
【補正対象項目名】００１４
【補正方法】変更
【補正の内容】
【００１４】
このとき、前記ベース部材の前記下方突出部は、前記リテーナ部材に向かって後方に突出する部分を有すると好適である。
【手続補正７】
【補正対象書類名】明細書
【補正対象項目名】００１５
【補正方法】変更
【補正の内容】
【００１５】
このとき、前記ベース部材の前記下方突出部は、前記後方に突出する部分の先端から下方に向かって延出する部分を有すると好適である。
【手続補正８】
【補正対象書類名】明細書
【補正対象項目名】００１６
【補正方法】変更
【補正の内容】
【００１６】
このとき、前記ベース部材の前記下方突出部は、前方に向かって突出する前方突部を有していると好適である。
【手続補正９】
【補正対象書類名】明細書
【補正対象項目名】００１７
【補正方法】変更
【補正の内容】
【００１７】
このとき、前記前方突部は、複数の前方突部からなると好適である。
【手続補正１０】
【補正対象書類名】明細書
【補正対象項目名】００１８
【補正方法】変更
【補正の内容】
【００１８】
このとき、前記複数の前方突部は、左右方向に並んで配置されていると好適である。
【手続補正１１】
【補正対象書類名】明細書
【補正対象項目名】００１９
【補正方法】変更
【補正の内容】
【００１９】
このとき、前記リテーナ部材は、前記複数の前方突部のうちの二つの間の位置で前記ベース部材に締結されていると好適である。
【手続補正１２】
【補正対象書類名】明細書
【補正対象項目名】００２０
【補正方法】変更
【補正の内容】
【００２０】
このとき、前記前方突部は、上下方向に延在していると好適である。
【手続補正１３】
【補正対象書類名】明細書
【補正対象項目名】００２１
【補正方法】変更
【補正の内容】
【００２１】
このとき、前記下方突出部は、前記ベース部材の左右方向において、前記車体ドア寄りの位置に配置されていると好適である。
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】削除
【補正の内容】
【手続補正１６】
【補正対象書類名】明細書
【補正対象項目名】００２４
【補正方法】削除
【補正の内容】
【手続補正１７】
【補正対象書類名】明細書
【補正対象項目名】００２５
【補正方法】削除
【補正の内容】
【手続補正１８】
【補正対象書類名】明細書
【補正対象項目名】００２６
【補正方法】変更
【補正の内容】
【００２６】
本発明によれば、ベース部材の下方突出部が、比較的剛性の高いリテーナ部材に重ね合わされた状態で、リテーナ部材に取り付けられているため、サイドエアバッグ装置の車体部材との取り付け剛性が向上する。また、既存部品となるリテーナ部材を利用して、サイドエアバッグ装置の車体部材との取り付け剛性を確保できる。
本発明によれば、上記構成により、リテーナ部材とベース部材が共に車体に取り付けられているため、サイドエアバッグ装置の車体部材との取り付け剛性が向上する。
【手続補正１９】
【補正対象書類名】明細書
【補正対象項目名】００２７
【補正方法】削除
【補正の内容】
【手続補正２０】
【補正対象書類名】明細書
【補正対象項目名】００２８
【補正方法】削除
【補正の内容】
【手続補正２１】
【補正対象書類名】明細書
【補正対象項目名】００２９
【補正方法】削除
【補正の内容】